(57)【要約】【課題】遊技者の手指になじみ易い形状で操作性が優れた打球発射ハンドルを提供する。【解決手段】外周面が略球面状に形成されたグリップ部５の外周に打球の発射強度を調節するための環状の操作レバー６を回転操作可能に設けたパチンコ遊技機の打球発射ハンドルにおいて、前記操作レバーは、外周部に指掛用突起１０が一体に成形された略半環状の上部成形体７と略半環状の下部成形体８とを組み合わせることにより環状に形成されるものであり、上部成形体をプラスチック成形するに際し上下方向に型抜きすることにより前記指掛用突起をグリップ部の外周面に沿って隙間無く延出する形状に成形した。【選択図】図２
2006247053.tif 000002
【特許請求の範囲】
【請求項１】
外周面が略球面状に形成されたグリップ部の外周に打球の発射強度を調節するための環状の操作レバーを回転操作可能に設けたパチンコ遊技機の打球発射ハンドルにおいて、前記操作レバーは、外周部に指掛用突起が一体に成形された略半環状の上部成形体と略半環状の下部成形体とを組み合わせることにより環状に形成されるものであり、上部成形体をプラスチック成形するに際し上下方向に型抜きすることにより前記指掛用突起を該上部成形体の外周部よりグリップ部の外周面に沿って隙間無く延出する形状に成形したことを特徴とするパチンコ遊技機の打球発射ハンドル。
【請求項２】
外周面が略球面状に形成されたグリップ部の外周に打球の発射強度を調節するために回転操作可能に設けられる環状の操作レバーであって、外周部に指掛用突起が一体に成形された略半環状の上部成形体と略半環状の下部成形体とを組み合わせることにより環状に形成され、上部成形体をプラスチック成形するに際し上下方向に型抜きすることにより前記指掛用突起を該上部成形体の外周部よりグリップ部の外周面に沿って隙間無く突出する形状に成形したことを特徴とするパチンコ遊技機の操作レバー。
【請求項３】
上部成形体をプラスチック成形するに際し上下方向に型抜きし、下面に開口する空洞を形成することにより上面が滑らかな曲面状でグリップ部の外周面に沿って隙間無く突出する指掛用突起を該上部成形体の外周部に一体に成形したことを特徴とする請求項２に記載したパチンコ遊技機の操作レバー。
【発明の詳細な説明】
【技術分野】
【０００１】
本発明はパチンコ遊技機の打球発射ハンドルに打球の発射強度を調節するために回転操作可能に設けられた操作レバーの構造に関するものである。
【背景技術】
【０００２】
パチンコ遊技機の打球発射ハンドルは、一般に図１１に示したように、パチンコ遊技機の前面に固着されるハンドルベースａとハンドルキャップｂとにより球形のグリップ部ｃが形成され、該ハンドルベースａとハンドルキャップｂとの間で該グリップ部ｃの外周に回転自在なるように打球発射速度を調節するための環状の操作レバー（回動盤）を回転操作可能に設けてなる。なお、下記特許文献１，２はこれらと同様の構造の打球発射ハンドルを開示するものである。
【特許文献１】特許第２６０２１８５号公報
【特許文献２】特開２００３−１１７０９９号公報（図５）
【発明の開示】
【発明が解決しようとする課題】
【０００３】
ところで、パチンコ遊技機の打球発射ハンドルは不特定多数の人が操作するものであるので、遊技者の手になじみ易い丸みのある形状とし、誰でも違和感なく使用できるものが望ましいと考えられる。
しかし従来の打球発射ハンドルは、図１１に例示したように、グリップ部ａが略球状に形成されているにも拘わらず、操作レバーｂに形成された指掛用の突起部ｃの裏側が垂直に切り立った形状でその裏面に空洞が開口した形態となったり、図１２に示したように後方に鋭角に切り立った形状で同様にその裏面には空洞が形成された形態となっていたので、手指になじみにくい欠点があった。また、図１３に示したように後方に延びた部分ｄを形成したもの、或いはさらに図１４に示したように突起部ｃに前方に延びた部分ｅを形成したものでは、この延長部分ｄ，ｅがグリップ部ａの外周面から離間し隙間ｇができてしまうものであったので、操作レバーｂを回転させたとき隙間ｇに指の皮膚を挟むおそれもあることから操作性がむしろ損なわれる可能性もあった。なおこれらは従来の操作レバーが、前後方向に型抜きする金型により環状に一体成形されたものであったので、突起部ｃに裏面に開口する空洞が必然的に形成されるとともに、上記延長部分ｄ或いはｅをグリップ部ａの球面に沿った形状に成形することが金型構造上困難であるという理由によるものである。
また、図１５に示したように突起部ｃの上面を丸く形成することは可能であるが、そうすると金型のパーティングラインｆが表面に表れるため見難くなるという問題があった。
またこうした問題を解決するためには、図１６に示したように、グリップ部ａを非球面状に形成することが考えられるが、そうすると遊技者の手指になじみ難いものとなってしまうという問題がある。
【０００４】
一方、本出願人の特許出願に係る上記特許文献２では、操作レバーが２分割して成形され、双方をビスで組み付けることにより環状となる構成が示されている。しかし、同公報に示されたものは、上記のように前後方向に型抜きする金型により双方を成形したものに変わりはなかったので、図１１に示した従来例のように遊技者の手指になじみにくい欠点があった。
そこで本発明は、操作レバーに上記のような隙間、或いは裏面に開口する空洞が形成されることなく遊技者の手指になじみ易い打球発射ハンドルを提供しようとするものである。
【課題を解決するための手段】
【０００５】
そのために請求項１に記載したパチンコ遊技機の打球発射ハンドルは、外周面が略球面状に形成されたグリップ部の外周に打球の発射強度を調節するための環状の操作レバーを回転操作可能に設けたパチンコ遊技機の打球発射ハンドルにおいて、前記操作レバーは、外周部に指掛用突起が一体に成形された略半環状の上部成形体と略半環状の下部成形体とを組み合わせることにより環状に形成されるものであり、上部成形体をプラスチック成形するに際し上下方向に型抜きすることにより前記指掛用突起を該上部成形体の外周部よりグリップ部の外周面に沿って隙間無く延出する形状に成形したことを特徴とする。
また、請求項２に記載したパチンコ遊技機の操作レバーは、外周面が略球面状に形成されたグリップ部の外周に打球の発射強度を調節するために回転操作可能に設けられる環状の操作レバーであって、外周部に指掛用突起が一体に成形された略半環状の上部成形体と略半環状の下部成形体とを組み合わせることにより環状に形成され、上部成形体をプラスチック成形するに際し上下方向に型抜きすることにより前記指掛用突起を該上部成形体の外周部よりグリップ部の外周面に沿って隙間無く突出する形状に成形したことを特徴とする。
また、請求項３に記載した発明は上記操作レバーにおいて、上部成形体をプラスチック成形するに際し上下方向に型抜きし、下面に開口する空洞を形成することにより上面が滑らかな曲面状でグリップ部の外周面に沿って隙間無く突出する指掛用突起を該上部成形体の外周部に一体に成形したことを特徴とする。
【発明の効果】
【０００６】
遊技者の手指になじみ易い形状で操作性が優れた打球発射ハンドルを提供することができる。
【発明を実施するための最良の形態】
【０００７】
次に本発明を実施するための最良の形態を図面に従い説明する。図１は本発明に係る打球発射ハンドルの斜視図、図２はその分解斜視図である。１は筒状部１ａの先端に半球殻状部１ｂが一体に成形されたハンドルベース、２は該ハンドルベース内に設けられた可変抵抗器からなる回転角度検出器で、該ハンドルベースはパチンコ遊技機（図示せず）の前面に固着される。また、３は略半球殻状に形成されたハンドルキャップで、該ハンドルキャップを後述する回転自在な環状の操作レバー６を介在させてハンドルベース１の前面にビス４ａ〜４ｃにより固着することにより、略球状のグリップ部５が非回転なるように形成される。なお、３ａは該ハンドルキャップの先端部に一体的に嵌着された球面状の半透明キャップである。
【０００８】
しかして操作レバー６は、略半環状のプラスチック製の上部成形体７と略半環状のプラスチック製の下部成形体８とを組み合わせてビス９ａ，９ｂにより互いを接合することにより環状に形成されるものである。また該上部成形体７は上下方向に型抜きするプラスチックの射出成形用金型により成形され、その外周部に指掛用突起１０が一体に成形される。該指掛用突起１０は前記グリップ部５の外周面に沿って隙間無く前方および後方に延出するように下面が円弧状に形成されると共に、上面に指一本分の間隔を隔てて３本の山形突条１１ａ〜１１ｃが一体に形成された滑らかな曲面状となり、該指掛用突起１０の内部には下面が開口する空洞１２が形成される。１３ａ，１３ｂは該上部成形体７の内周に形成された一対の取付用リブ、１４ａ，１４ｂは前記ビス９ａ，９ｂを貫挿するため該リブに形成された透孔である。また、下部成形体８は内周に円弧状透孔１５を開設すると共に中心部にボス１６を形成し、該ボスに前記回転角度検出器２の軸を貫挿するためのＤ形の取付孔１７を形成してなる。なお、１８は操作レバー６を回転付勢する巻きバネで、該巻きバネの一端をビス１８ａによりハンドルベース１内に止着し、他端をボス１６の近くに形成された係合片１６ａに止着することにより、該操作レバー６が無負荷状態のとき該操作レバー６は該巻きバネの弾性により初期回転位置に静止し、打球が発射されないようにしている。
【０００９】
このように構成された打球発射ハンドルでは、指掛用突起１０の山形突条１１ａ〜１１ｃの間に指を入れ、巻きバネ１８の弾性に抗して該操作レバー６を回転させると共に、その指と手の平でグリップ部５を握持することにより、該操作レバー６を所望の回転角度（回転状態）に保持することができる。このため、打球の発射強度を所望に調節することができると共に、グリップ部５が略球形であって指掛用突起１０がその球面に沿って前後に延びていることから手指になじみ易く、打球の発射強度を何人にも所望に調節することができるようになる。また、指掛用突起１０は下面に開口する空洞を形成することにより、プラスチックの肉厚を一定に維持しながら所期の大きさ，形状の指掛用突起を形成できることから、上面が滑らかな曲面状で手指の形にしっくりと沿ったデザインを採用することができる。金型のパーティングラインが指掛用突起の表面に表れることで見難くなるようなおそれもない。このため斬新なデザインと共に、操作性が優れ、長時間プレイしても手指を疲れさせない利点がある。
【００１０】
なお、この実施形態では指掛用突起１０を前方および後方に延びた形態に形成したが、本発明では指掛用突起を前方または後方にのみ延びた形態に形成することも可能である。
【図面の簡単な説明】
【００１１】
【図１】本発明に係る打球発射ハンドルの斜視図。
【図２】本発明に係る打球発射ハンドルの分解斜視図。
【図３】本発明に係る打球発射ハンドルの正面図。
【図４】本発明に係る打球発射ハンドルの右側面図。
【図５】本発明に係る打球発射ハンドルの左側面図。
【図６】本発明に係る打球発射ハンドルの平面図。
【図７】本発明に係る打球発射ハンドルの裏面図。
【図８】本発明に係る打球発射ハンドルの底面図。
【図９】本発明に係る打球発射ハンドルの縦断面図。
【図１０】本発明に係る打球発射ハンドルの横断面図。
【図１１】従来の打球発射ハンドルの概略を示す側面図。
【図１２】従来の打球発射ハンドルの概略を示す側面図。
【図１３】従来の打球発射ハンドルの概略を示す側面図。
【図１４】従来の打球発射ハンドルの概略を示す側面図。
【図１５】従来の打球発射ハンドルの概略を示す側面図。
【図１６】従来の打球発射ハンドルの概略を示す側面図。
【符号の説明】
【００１２】
１                ハンドルベース
２                回転角度検出器
３                ハンドルキャップ
５                グリップ部
６                操作レバー
７                上部成形体
８                下部成形体
９ａ，９ｂ        ビス
１０              指掛用突起
１１ａ〜１１ｃ    山形突条
１２              空洞
１３ａ，１３ｂ    取付用リブ
１６              ボス
１７              取付孔
１８              巻きバネ
【図１】
2006247053.tif 000003
【図２】
2006247053.tif 000004
【図３】
2006247053.tif 000005
【図４】
2006247053.tif 000006
【図５】
2006247053.tif 000007
【図６】
2006247053.tif 000008
【図７】
2006247053.tif 000009
【図８】
2006247053.tif 000010
【図９】
2006247053.tif 000011
【図１０】
2006247053.tif 000012
【図１１】
2006247053.tif 000013
【図１２】
2006247053.tif 000014
【図１３】
2006247053.tif 000015
【図１４】
2006247053.tif 000016
【図１５】
2006247053.tif 000017
【図１６】
2006247053.tif 000018